(57)【要約】【課題】圧縮機の振動を吸収する振動吸収装置を備えた冷凍装置において、圧縮機の振れに起因して冷媒の流路を形成するための配管が破断するのを防止する。【解決手段】冷媒回路（11）には、冷媒配管ユニット（50）が接続される。冷媒配管ユニット（50）は、所定パターンの溝が形成された板状部材（51）を重ね合わせることで内部流路（52）が形成される。冷媒配管ユニット（50）の上面に配設された振動吸収装置（60）には、圧縮機（20）とともに機能ブロック（40）が支持される。【選択図】図１
2010151343.tif 000002
【特許請求の範囲】
【請求項１】
圧縮機（20）と放熱器（30）と蒸発器（35）とが接続されるとともに冷媒が循環して冷凍サイクルを行う冷媒回路（11）と、該圧縮機（20）の振動を吸収する振動吸収装置（60）とを備えた冷凍装置であって、
前記冷媒回路（11）には、冷媒の流れを制御する機能部品（41）を含んだ機能ブロック（40）が接続され、
前記振動吸収装置（60）には、前記圧縮機（20）とともに前記機能ブロック（40）が支持され、
前記機能ブロック（40）は、前記圧縮機（20）から前記振動吸収装置（60）に向かう振動を抑制可能な重量に設定されていることを特徴とする冷凍装置。
【請求項２】
請求項１において、
前記振動吸収装置（60）には、その上側に前記機能ブロック（40）が水平な姿勢で支持されており、
前記機能ブロック（40）の上面には、前記圧縮機（20）が設置されていることを特徴とする冷凍装置。
【請求項３】
請求項１又は２において、
前記振動吸収装置（60）には、前記圧縮機（20）の周囲に隣接して立設するように前記機能ブロック（40）が支持されていることを特徴とする冷凍装置。
【請求項４】
請求項１乃至３のうち何れか１項において、
所定のパターンの溝が形成された複数の板状部材（51）を重ね合わせることで該溝の内部に内部流路（52）が形成されるとともに、前記機能ブロック（40）と接続される冷媒配管ユニット（50）を備え、
前記冷媒配管ユニット（50）は、その上面に前記振動吸収装置（60）が配設されて前記圧縮機（20）及び前記機能ブロック（40）を支持していることを特徴とする冷凍装置。
【発明の詳細な説明】
【技術分野】
【０００１】
本発明は、冷凍装置に関するものである。
【背景技術】
【０００２】
従来より、冷凍サイクルを利用して室内の空調や庫内の冷蔵を行う冷凍装置が知られている。この種の冷凍装置として、特許文献１には、圧縮機と凝縮器と蒸発器とが冷媒配管によって接続されることで冷媒回路が構成されたものが開示されている。
【０００３】
ところで、この種の冷凍装置の運転時には、圧縮機の振動の伝達を防止するために、圧縮機を弾性材（ゴムマウント等）からなる振動吸収装置で支持するようにしている。この振動吸収装置により、圧縮機の振動が緩和され、振動の伝達が抑制されている。
【特許文献１】特開平５−７７６４０号公報
【発明の開示】
【発明が解決しようとする課題】
【０００４】
しかしながら、従来の冷凍装置では、圧縮機を振動吸収装置で支持するものでは、その減衰作用が不十分な場合、圧縮機が大きく振れてしまうことがある。このような圧縮機の振れが大きくなると、圧縮機に接続される冷媒配管に応力が作用し、冷媒配管の破断を招くおそれがある。従って、冷媒配管の振れを吸収する何らかの対策を講じる必要があり、装置構造が複雑となってしまう。
【０００５】
本発明は、かかる点に鑑みてなされたものであり、その目的は、圧縮機の振動を吸収する振動吸収装置を備えた冷凍装置において、圧縮機の振れに起因して冷媒の流路を形成するための配管が破断するのを防止することにある。
【課題を解決するための手段】
【０００６】
上述した目的を達成するため、本発明は、圧縮機の重量を、圧縮機から振動吸収装置に向かう振動を抑制可能な重量に設定するようにした。
【０００７】
具体的に、本発明は、圧縮機（20）と放熱器（30）と蒸発器（35）とが接続されるとともに冷媒が循環して冷凍サイクルを行う冷媒回路（11）と、該圧縮機（20）の振動を吸収する振動吸収装置（60）とを備えた冷凍装置を対象とし、次のような解決手段を講じた。
【０００８】
すなわち、第１の発明は、前記冷媒回路（11）には、冷媒の流れを制御する機能部品（41）を含んだ機能ブロック（40）が接続され、
前記振動吸収装置（60）には、前記圧縮機（20）とともに前記機能ブロック（40）が支持され、
前記機能ブロック（40）は、前記圧縮機（20）から前記振動吸収装置（60）に向かう振動を抑制可能な重量に設定されていることを特徴とするものである。
【０００９】
第１の発明では、冷媒の流れを制御する機能部品（41）を含んだ機能ブロック（40）が冷媒回路（11）に接続される。圧縮機（20）及び機能ブロック（40）は、振動吸収装置（60）に支持される。ここで、機能ブロック（40）は、圧縮機（20）から振動吸収装置（60）に向かう振動を抑制可能な重量に設定される。
【００１０】
このような構成とすれば、圧縮機（20）から振動吸収装置（60）に向かう振動を抑制することができる。具体的に、圧縮機（20）のみを振動吸収装置（60）に支持させるとともに、圧縮機（20）の吐出管や吸入管等の冷媒配管を機能ブロック（40）や熱交換器等に接続させた場合には、圧縮機（20）から冷媒配管を介して機能ブロック（40）や熱交換器等に向かう振動により、冷媒配管に応力が作用することとなる。この応力によって、冷媒配管は破断や破損してしまう。
【００１１】
これに対し、本発明では、圧縮機（20）及び機能ブロック（40）を振動吸収装置（60）で支持するとともに、機能ブロック（40）の重量を、圧縮機（20）から振動吸収装置（60）に向かう振動を抑制可能に設定するようにしたから、圧縮機（20）自身の重量に機能ブロック（40）の重量が加算される。このため、圧縮機（20）で発生した振動は、圧縮機（20）のみを振動吸収装置（60）で支持した場合に比べて軽減されることとなる。その結果、圧縮機（20）の振動に起因して冷媒配管が破断や破損することが抑制される。
【００１２】
第２の発明は、第１の発明において、
前記振動吸収装置（60）には、その上側に前記機能ブロック（40）が水平な姿勢で支持されており、
前記機能ブロック（40）の上面には、前記圧縮機（20）が設置されていることを特徴とするものである。
【００１３】
第２の発明では、機能ブロック（40）が水平な姿勢で振動吸収装置（60）に支持され、この機能ブロック（40）の上面に圧縮機（20）が設置される。このような構成とすれば、機能ブロック（40）を圧縮機（20）の支持台として利用することができ、圧縮機（20）の設置性も良好となる。また、圧縮機（20）と機能ブロック（40）とが一体的に振動しやすくなるため、圧縮機（20）の振動に起因して機能ブロック（40）に応力が作用してしまうことが一層確実に回避される。
【００１４】
第３の発明は、第１又は第２の発明において、
前記振動吸収装置（60）には、前記圧縮機（20）の周囲に隣接して立設するように前記機能ブロック（40）が支持されていることを特徴とするものである。
【００１５】
第３の発明では、機能ブロック（40）が圧縮機（20）の周囲に隣接しながら立設され、振動吸収装置（60）に支持される。このような構成とすれば、圧縮機（20）の吐出口や吸入口から、機能ブロック（40）までの距離が比較的短くなる。従って、圧縮機（20）と機能ブロック（40）とを接続するための配管を短くすることができ、配管の取り回しのシンプル化、及び低コスト化を図ることができる。
【００１６】
第４の発明は、第１乃至第３の発明のうち何れか１つにおいて、
所定のパターンの溝が形成された複数の板状部材（51）を重ね合わせることで該溝の内部に内部流路（52）が形成されるとともに、前記機能ブロック（40）と接続される冷媒配管ユニット（50）を備え、
前記冷媒配管ユニット（50）は、その上面に前記振動吸収装置（60）が配設されて前記圧縮機（20）及び前記機能ブロック（40）を支持していることを特徴とするものである。
【００１７】
第４の発明では、冷媒配管ユニット（50）は、複数の板状部材（51）を重ね合わせて構成される。板状部材（51）には、所定のパターンの溝が形成されている。冷媒配管ユニット（50）の内部には、この溝によって冷媒が流通可能な内部流路（52）が形成される。冷媒配管ユニット（50）の上面には、振動吸収装置（60）が配設される。圧縮機（20）及び機能ブロック（40）は、振動吸収装置（60）に支持される。
【００１８】
このような構成とすれば、圧縮機（20）から振動吸収装置（60）に向かう振動を抑制することができる。このため、圧縮機（20）と冷媒配管ユニット（50）とを冷媒配管（18，19）で接続したときでも、圧縮機（20）から冷媒配管（18，19）を介して冷媒配管ユニット（50）に向かう振動を軽減することができ、圧縮機（20）の振動に起因して冷媒配管が破断や破損することが抑制される。
【発明の効果】
【００１９】
本発明によれば、圧縮機（20）及び機能ブロック（40）を振動吸収装置（60）で支持するとともに、機能ブロック（40）の重量を、圧縮機（20）から振動吸収装置（60）に向かう振動を抑制可能に設定するようにしたから、圧縮機（20）自身の重量に機能ブロック（40）の重量が加算される。このため、圧縮機（20）で発生した振動は、圧縮機（20）のみを振動吸収装置（60）で支持した場合に比べて軽減されることとなる。その結果、圧縮機（20）の振動に起因して冷媒配管（18，19）が破断や破損することが抑制される。
【発明を実施するための最良の形態】
【００２０】
以下、本発明の実施形態を図面に基づいて説明する。なお、以下の好ましい実施形態の説明は、本質的に例示に過ぎず、本発明、その適用物或いはその用途を制限することを意図するものではない。
【００２１】
図１は、本発明の実施形態１に係る冷凍装置の構成を示す概略図である。図１に示すように、この冷凍装置（10）は、冷媒が充填された冷媒回路（11）を有している。冷媒回路（11）では、冷媒が循環することで蒸気圧縮式の冷凍サイクルが行われる。冷媒回路（11）には、圧縮機（20）、機能ブロック（40）、室外熱交換器（30）、室内熱交換器（35）、及び冷媒配管ユニット（50）が接続されている。
【００２２】
前記室外熱交換器（30）は、冷媒が室外空気に向かって放熱する、いわゆる放熱器を構成している。
【００２３】
前記室内熱交換器（35）は、冷媒が室内空気から吸熱して蒸発する、いわゆる蒸発器を構成している。そして、室内熱交換器（35）で冷却された空気が室内に送られることで、室内の冷房が行われる。
【００２４】
前記圧縮機（20）は、円筒の縦長のケーシング（21）を有しており、その内部に冷媒を圧縮するための圧縮機構や圧縮機モータが収納されている。圧縮機（20）は、運転周波数が可変なインバータ型の圧縮機を構成している。つまり、圧縮機（20）は、インバータ回路を介して電力が供給される。この電力の出力周波数が制御されることで、圧縮機モータの回転数が調節される。圧縮機（20）のケーシング（21）には、その下部に機能ブロック（40）が設けられている。
【００２５】
前記機能ブロック（40）は、冷媒の流れを制御する機能部品（41）を含んでいる。機能部品（41）の一例としては、例えば電磁弁、四方切替弁等が挙げられる。機能ブロック（40）の上面には、圧縮機（20）が載置されている。そして、圧縮機（20）の吸入管（15）及び吐出管（16）は、機能ブロック（40）内部の冷媒通路（42）にそれぞれ接続されており、圧縮機（20）と機能ブロック（40）との間で冷媒の流通が可能となっている。
【００２６】
前記冷媒配管ユニット（50）は、２枚の板状部材（51）が厚さ方向に積層されて構成されている。これらの板状部材（51）は、扁平で横長の直方体形状に形成されている。なお、板状部材（51）は、アルミニウム、銅、ステンレス等の金属製であっても良いし、樹脂製であっても良い。
【００２７】
そして、前記冷媒配管ユニット（50）における板状部材（51）の重ね合わせ面には、所定のパターンの溝が形成されており、この溝同士を重ね合わせることで、その溝の内部に内部流路（52）が形成されている。
【００２８】
前記内部流路（52）の流出端及び流入端は、板状部材（51）の上面にそれぞれ開口している。具体的に、第１内部流路（52a）の流入端は、室外流出管（12）を介して室外熱交換器（30）の流出側と接続される。第１内部流路（52a）の流出端は、室内流入管（13）を介して室内熱交換器（35）の流入側と接続される。この第１内部流路（52a）の流路途中には、冷媒を減圧するための図示しないキャピラリチューブが設けられている。
【００２９】
前記第２内部流路（52b）の流入端は、室内流出管（14）を介して室内熱交換器（35）の流入側と接続される。第２内部流路（52b）の流出端は、吸入管（15）を介して圧縮機（20）の吸入側と接続される。
【００３０】
前記第３内部流路（52c）の流入端は、吐出管（16）を介して圧縮機（20）の吐出側と接続される。第３内部流路（52c）の流出端は、室外流入管（17）を介して室外熱交換器（30）の流入側と接続される。
【００３１】
前記冷凍装置（10）には、２つの振動吸収装置（60,70）が設けられている。具体的に、これらの振動吸収装置（60,70）は、冷媒配管ユニット（50）の上面に配設されており、圧縮機（20）側に設けられる第１振動吸収装置（60）と、室外熱交換器（30）側に設けられる第２振動吸収装置（70）とで構成される。
【００３２】
前記第１振動吸収装置（60）は、圧縮機（20）とともに機能ブロック（40）を一体的に支持するものであり、機能ブロック（40）の下側に設けられた防振材（62）で構成されている。この防振材（62）は、例えばゴムマウント等の弾性材料によって構成されている。この第１振動吸収装置（60）は、機能ブロック（40）を水平な姿勢で支持しており、この機能ブロック（40）の上面に圧縮機（20）が設置されている。これにより、機能ブロック（40）を圧縮機（20）の支持台として利用することができ、圧縮機（20）の設置性も良好となる。
【００３３】
ここで、前記機能ブロック（40）は、圧縮機（20）から振動吸収装置（60）に向かう振動を抑制可能な重量に設定されている。このような構成とすれば、圧縮機（20）から振動吸収装置（60）に向かう振動を効果的に抑制することができる。
【００３４】
具体的に、圧縮機（20）のみを振動吸収装置（60）に支持させるとともに、圧縮機（20）の吸入管（15）や吐出管（16）を冷媒配管ユニット（50）に接続させた場合には、圧縮機（20）から吸入管（15）や吐出管（16）を介して冷媒配管ユニット（50）に向かう振動により、吸入管（15）や吐出管（16）に応力が作用することとなる。この応力によって、吸入管（15）や吐出管（16）は破断や破損してしまう。
【００３５】
これに対し、本発明では、圧縮機（20）及び機能ブロック（40）を振動吸収装置（60）で支持するとともに、機能ブロック（40）の重量を、圧縮機（20）から振動吸収装置（60）に向かう振動を抑制可能に設定するようにしたから、圧縮機（20）自身の重量に加えて機能ブロック（40）の重量が加算される。このため、圧縮機（20）で発生した振動は、圧縮機（20）のみを振動吸収装置（60）で支持した場合に比べて軽減されることとなる。これにより、第１振動吸収装置（60）は、運転中の圧縮機（20）の振動が機能ブロック（40）に接続された冷媒配管（18,19）を介して冷媒配管ユニット（50）に伝達するのを抑制している。その結果、圧縮機（20）の振動に起因して冷媒配管（18,19）が破断や破損することが抑制される。
【００３６】
前記第２振動吸収装置（70）は、室外熱交換器（30）の下側に設けられている。具体的に、第２振動吸収装置（70）は、支持板（71）と防振材（72）とを備えている。支持板（71）は、扁平な板状に形成されている。防振材（72）は、支持板（71）の下面に複数本設けられている。そして、支持板（71）の上側に室外熱交換器（30）が設置されている。
【００３７】
−運転動作−
次に、本実施形態の冷凍装置（10）の運転動作について説明する。冷凍装置（10）の運転時には、圧縮機（20）が運転状態となり、冷媒回路（11）で冷凍サイクルが行われる。その結果、室内熱交換器（35）によって室内の冷房が行われる。
【００３８】
具体的に、圧縮機（20）で圧縮された冷媒は、吐出管（16）へ吐出される。吐出管（16）を流れる冷媒は、機能ブロック（40）の冷媒通路（42）へ流入する。冷媒通路（42）から吐出側冷媒配管（18）へ吐出された冷媒は、冷媒配管ユニット（50）の第３内部流路（52c）へ流入し、再び冷媒配管ユニット（50）の外部へ流出する。この冷媒は、室外流入管（17）を経由して室外熱交換器（30）を流れる。室外熱交換器（30）では、冷媒が空気へ放熱して凝縮する。室外熱交換器（30）で凝縮した冷媒は、室外流出管（12）を介して冷媒配管ユニット（50）の第１内部流路（52a）へ流入する。
【００３９】
前記冷媒配管ユニット（50）の第１内部流路（52a）を流れる冷媒は、冷媒配管ユニット（50）に設けられた図示しないキャピラリチューブを流れる。そして、キャピラリチューブを流れる際に減圧されて膨張する。キャピラリチューブで減圧された冷媒は、室内流入管（13）を経由して室内熱交換器（35）を流れる。
【００４０】
前記室内熱交換器（35）では、冷媒が空気から吸熱して蒸発する。その結果、この空気が冷却される。冷却された空気が室内へ供給されることで、室内の冷房が行われる。室内熱交換器（35）で蒸発した冷媒は、室内流出管（14）を経由して冷媒配管ユニット（50）の第２内部流路（52b）へ流入する。第２内部流路（52b）を流出した冷媒は、吸入側冷媒配管（19）を経由して機能ブロック（40）の冷媒通路（42）に流入する。この冷媒は、機能ブロック（40）の外部の吸入管（15）へ流出し、その後に圧縮機（20）に吸入されて再び圧縮される。
【００４１】
以上のように、本実施形態に係る冷凍装置（10）によれば、圧縮機（20）及び機能ブロック（40）を振動吸収装置（60）で支持するとともに、機能ブロック（40）の重量を、圧縮機（20）から振動吸収装置（60）に向かう振動を抑制可能に設定するようにしたから、圧縮機（20）自身の重量に機能ブロック（40）の重量が加算される。このため、圧縮機（20）で発生した振動は、圧縮機（20）のみを振動吸収装置（60）で支持した場合に比べて軽減されることとなる。その結果、圧縮機（20）の振動に起因して冷媒配管（18,19）が破断や破損することを抑制できる。
【００４２】
＜変形例＞
図２は、本実施形態の変形例に係る冷凍装置における機能ブロックの配置構造を示す斜視図である。図２に示すように、この機能ブロック（40）は、圧縮機（20）のケーシング（21）の周囲に隣接して立設するように配置されている。図２に示す例では、圧縮機（20）の左側には機能部品（41）としての四方切替弁を有する機能ブロック（40）が、右側には機能部品（41）としての電動弁を有する機能ブロック（40）がそれぞれ配置されている。そして、圧縮機（20）とともにこれら機能ブロック（40）が振動吸収装置（60）に支持される。ここで、左右両側に配置された機能ブロック（40）の合計重量は、圧縮機（20）から振動吸収装置（60）に向かう振動を抑制可能な重量に設定されている。
【００４３】
図２において左側に配置された四方切替弁を有する機能ブロック（40）は、圧縮機（20）の吐出管（16）及び吐出側冷媒配管（18）に接続されて室外熱交換器（30）に対して冷媒が吐出される一方、吸入管（15）及び吸入側冷媒配管（19）に接続されて室内熱交換器（35）から冷媒が吸入されるようになっている。
【００４４】
また、右側に配置された電動弁を有する機能ブロック（40）は、冷媒配管ユニット（50）の第１内部流路（52a）の流路途中に接続されて、第１内部流路（52a）を流れる冷媒を迂回させる迂回路を形成している。この機能ブロック（30）は、室外熱交換器（30）の室外流出管（12）側の冷媒配管（12a）と、室内熱交換器（35）の室内流入管（13）側の冷媒配管（13a）とに接続されて、室外熱交換器（30）を流出した冷媒が電動弁で減圧されて室内熱交換器（35）に流入されるようになっている。
【００４５】
このような構成とすれば、圧縮機（20）から振動吸収装置（60）に向かう振動を抑制することができるとともに、圧縮機（20）の吐出口や吸入口から、機能ブロック（40）までの距離が比較的短くなる。従って、圧縮機（20）と機能ブロック（40）とを接続するための配管を短くすることができ、配管の取り回しのシンプル化、及び低コスト化を図ることができる。
【産業上の利用可能性】
【００４６】
以上説明したように、本発明は、圧縮機の振動を吸収する振動吸収装置を備えた冷凍装置において、圧縮機の振れに起因して冷媒の流路を形成するための配管が破断するのを防止することができるという実用性の高い効果が得られることから、きわめて有用で産業上の利用可能性は高い。
【図面の簡単な説明】
【００４７】
【図１】本発明の実施形態に係る冷凍装置の全体構成を示す概略構成図である。
【図２】本変形例に係る機能ブロックの配置構造を示す概略斜視図である。
【符号の説明】
【００４８】
10    冷凍装置
11    冷媒回路
20    圧縮機
30    室外熱交換器（放熱器）
35    室内熱交換器（蒸発器）
40    機能ブロック 
41    機能部品 
50    冷媒配管ユニット 
51    板状部材 
52    内部流路 
60    第１振動吸収装置（振動吸収装置）
【図１】
2010151343.tif 000003
【図２】
2010151343.tif 000004